(57)【特許請求の範囲】
【請求項１】
ヘッダ圧縮／解凍を扱う通信装置であって、
セカンダリセルグループ（ＳＣＧ）ベアラとして第１の無線ベアラを構成する第１の無線ベアラ構成と、プライマリセカンダリセル（ＰＳＣｅｌｌ）として第１の基地局のセルを構成するＰＳＣｅｌｌ構成とを受信する命令であって、前記第１の無線ベアラ構成及び前記ＰＳＣｅｌｌ構成は、前記第１の基地局と通信するためのものである、命令と、
第２の基地局と通信するためのマスタセルグループ（ＭＣＧ）ベアラ又はスプリットベアラとして第２の無線ベアラを構成する第２の無線ベアラ構成を受信する命令と、
前記第１の無線ベアラの第１の複数のパケットデータ収束プロトコル（ＰＤＣＰ）サービスデータユニット（ＳＤＵ）を圧縮するためのヘッダ圧縮コンテキストを確立し、かつ／あるいは前記第１の無線ベアラの第２の複数のＰＤＣＰ  ＳＤＵを解凍するためのヘッダ解凍コンテキストを確立する命令と、
前記ヘッダ圧縮コンテキストに従って前記第１の複数のＰＤＣＰ  ＳＤＵを第１の複数の圧縮されたＰＤＣＰ  ＳＤＵに圧縮し、及び前記第１の複数の圧縮されたＰＤＣＰ  ＳＤＵを前記第１の基地局に送信し、かつ／あるいは、前記第２の複数のＰＤＣＰ  ＳＤＵを前記第１の基地局から受信し、及び前記ヘッダ解凍コンテキストに従って前記第２の複数のＰＤＣＰ  ＳＤＵを第２の複数の解凍されたＰＤＣＰ  ＳＤＵに解凍する命令と、
前記第２の基地局に対する前記第２の無線ベアラの複数のＰＤＣＰ  ＳＤＵを送信する命令と、
前記ＰＳＣｅｌｌを前記第１の基地局の前記セルから前記第１の基地局の別のセルに変更し、又は前記第２の基地局から前記第１の基地局へのハンドオーバを示す、無線リソース制御（ＲＲＣ）メッセージを受信する命令と、
前記ＲＲＣメッセージを受信するとき、前記ヘッダ圧縮コンテキスト又は前記ヘッダ解凍コンテキストを維持する命令と、
前記ＲＲＣメッセージを受信した後、前記ヘッダ圧縮コンテキストに従って前記第１の無線ベアラの第３の複数のＰＤＣＰ  ＳＤＵを第３の複数の圧縮されたＰＤＣＰ  ＳＤＵに圧縮し、及び前記第３の複数の圧縮されたＰＤＣＰ  ＳＤＵを前記第１の基地局に送信し、かつ／あるいは、前記ＲＲＣメッセージを受信した後、前記第１の無線ベアラの第４の複数のＰＤＣＰ  ＳＤＵを受信し、及び前記ヘッダ解凍コンテキストに従って前記第４の複数のＰＤＣＰ  ＳＤＵを第４の複数の解凍されたＰＤＣＰ  ＳＤＵに解凍する命令と、
を記憶した記憶ユニットと、
前記記憶ユニットに結合され、前記記憶ユニットに記憶された前記命令を実行するように構成された処理手段と、
を含む通信装置。
【請求項２】
前記ＲＲＣメッセージが、前記第１の無線ベアラのための前記ヘッダ圧縮コンテキストを維持すること又は当該通信装置と前記第１の基地局との間の少なくとも１つの無線ベアラのための前記ヘッダ圧縮コンテキストを維持することを示す第１の情報を含むとき、当該通信装置は、前記ヘッダ圧縮コンテキストに従って前記第３の複数のＰＤＣＰ  ＳＤＵを圧縮し、あるいは、
前記記憶ユニットが、
前記ＲＲＣメッセージが前記第１の情報を含まず、あるいは前記ＲＲＣメッセージが前記第１の無線ベアラのため又は前記少なくとも１つの無線ベアラのための前記ヘッダ圧縮コンテキストをリセットすることを示す第２の情報を含むときに、前記ヘッダ圧縮コンテキストをリセットする命令、
をさらに記憶している、
請求項１に記載の通信装置。
【請求項３】
前記記憶ユニットが、
前記ＲＲＣメッセージが前記ＰＳＣｅｌｌを前記第１の基地局の前記セルから前記第１の基地局の前記別のセルに変更し、及び当該通信装置に前記第２の基地局内で基地局内ハンドオーバを実行するように示すとき、又は、前記ＲＲＣメッセージが前記第２の基地局から前記第１の基地局への前記ハンドオーバを示すときに、前記第２の無線ベアラのためのヘッダ圧縮コンテキストをリセットする命令、
をさらに記憶している、請求項１に記載の通信装置。
【請求項４】
第１の基地局及び第２の基地局のためのヘッダ圧縮／解凍を扱う方法であって、
前記第２の基地局が、セカンダリセルグループ（ＳＣＧ）ベアラとして第１の無線ベアラを構成する第１の無線ベアラ構成と、プライマリセカンダリセル（ＰＳＣｅｌｌ）として前記第１の基地局のセルを構成するＰＳＣｅｌｌ構成とを通信装置に送信することであって、前記第１の無線ベアラ構成及び前記ＰＳＣｅｌｌ構成は、前記通信装置と通信するためのものである、ことと、
前記第２の基地局が、前記通信装置と通信するためのマスタセルグループ（ＭＣＧ）ベアラ又はスプリットベアラとして第２の無線ベアラを構成するための第２の無線ベアラ構成を前記通信装置に送信することと、
前記第１の基地局が、前記第１の無線ベアラの第１の複数のパケットデータ収束プロトコル（ＰＤＣＰ）サービスデータユニット（ＳＤＵ）を圧縮するためのヘッダ圧縮コンテキストを確立し、かつ／あるいは前記第１の無線ベアラの第２の複数のＰＤＣＰ  ＳＤＵを解凍するためのヘッダ解凍コンテキストを確立することと、
前記第１の基地局が、前記ヘッダ圧縮コンテキストに従って前記第１の複数のＰＤＣＰ  ＳＤＵを第１の複数の圧縮されたＰＤＣＰ  ＳＤＵに圧縮し、及び前記第１の複数の圧縮されたＰＤＣＰ  ＳＤＵを前記通信装置に送信し、かつ／あるいは、前記第２の複数のＰＤＣＰ  ＳＤＵを前記通信装置から受信し、及び前記ヘッダ解凍コンテキストに従って前記第２の複数のＰＤＣＰ  ＳＤＵを第２の複数の解凍されたＰＤＣＰ  ＳＤＵに解凍することと、
前記第２の基地局が、前記通信装置に対する前記第２の無線ベアラの複数のＰＤＣＰ  ＳＤＵを送信し、あるいは受信することと、
前記第２の基地局が、前記ＰＳＣｅｌｌを前記第１の基地局の前記セルから前記第１の基地局の別のセルに変更し、又は前記第２の基地局から前記第１の基地局へのハンドオーバを示す、無線リソース制御（ＲＲＣ）メッセージを送信することと、
前記第１の基地局が、前記ＰＳＣｅｌｌの変更を開始し、又は前記ハンドオーバを開始するときに、前記ヘッダ圧縮コンテキスト又は前記ヘッダ解凍コンテキストを維持することと、
前記第１の基地局が、前記ＲＲＣメッセージを受信した後、前記ヘッダ圧縮コンテキストに従って前記第１の無線ベアラの第３の複数のＰＤＣＰ  ＳＤＵを第３の複数の圧縮されたＰＤＣＰ  ＳＤＵに圧縮し、及び前記第３の複数の圧縮されたＰＤＣＰ  ＳＤＵを前記通信装置に送信し、かつ／あるいは、前記ＲＲＣメッセージを受信した後、前記第１の無線ベアラの第４の複数のＰＤＣＰ  ＳＤＵを前記通信装置から受信し、及び前記ヘッダ解凍コンテキストに従って前記第４の複数のＰＤＣＰ  ＳＤＵを第４の複数の解凍されたＰＤＣＰ  ＳＤＵに解凍することと、
を含む方法。
【請求項５】
前記ＲＲＣメッセージが、前記第１の無線ベアラのための前記ヘッダ圧縮コンテキストを維持すること又は前記通信装置と前記第１の基地局との間のすべての無線ベアラのための前記ヘッダ圧縮コンテキストを維持することを示す第１の情報を含むとき、前記第１の基地局は、前記ヘッダ圧縮コンテキストに従って前記第３の複数のＰＤＣＰ  ＳＤＵを圧縮し、あるいは、
当該方法が、
前記ＲＲＣメッセージが前記第１の情報を含まず、あるいは前記ＲＲＣメッセージが前記第１の無線ベアラのため又は前記通信装置と前記第１の基地局との間で使用されるすべての無線ベアラのための前記ヘッダ圧縮コンテキストをリセットすることを示す第２の情報を含むときに、前記第１の無線ベアラのため又は前記通信装置と前記第１の基地局との間で使用される前記すべての無線ベアラのための前記ヘッダ圧縮コンテキストをリセットすること、
をさら含む、
請求項４に記載の方法。
【請求項６】
当該方法は、
前記第１の基地局が、前記第２の無線ベアラのためのヘッダ圧縮コンテキストをリセットすること、
をさらに含む、請求項４に記載の方法。
【請求項７】
当該方法は、
前記ＲＲＣメッセージが、前記ＰＳＣｅｌｌを前記第１の基地局の前記セルから前記第１の基地局の前記別のセルに変更するとき、前記第２の基地局が、前記第２の無線ベアラのためのヘッダ圧縮コンテキストをリセットすること、
をさらに含む、請求項４に記載の方法。
【請求項８】
ヘッダ圧縮／解凍を扱う通信装置であって、
無線リソース制御（ＲＲＣ）メッセージを受信する命令と、
前記ＲＲＣメッセージに従って第１の無線ベアラ及び第２の無線ベアラのためのパケットデータ収束プロトコル（ＰＤＣＰ）再確立を実行する命令と、
前記ＲＲＣメッセージが圧縮／解凍コンテキストを継続することを示すフィールドを含まない場合、前記ＰＤＣＰ再確立に従って、前記第１の無線ベアラの第１の圧縮／解凍コンテキストと前記第２の無線ベアラの第２の圧縮／解凍コンテキストとをリセットする命令と、
前記ＲＲＣメッセージが圧縮／解凍コンテキストを継続することを示す前記フィールドを含む場合、前記ＰＤＣＰ再確立に従って、前記第１の圧縮／解凍コンテキストをリセットし、前記第２の圧縮／解凍コンテキストをリセットしない命令と、
を記憶した記憶ユニットと、
前記記憶ユニットに結合され、前記記憶ユニットに記憶された前記命令を実行するように構成された処理手段と、
を含む通信装置。
【請求項９】
圧縮／解凍コンテキストを継続することを示す前記フィールドは、ＭＣＧベアラのため又は前記第１の無線ベアラのために適用される、請求項８に記載の通信装置。
【請求項１０】
前記第２の圧縮／解凍コンテキストをリセットする命令は、
前記ＲＲＣメッセージがＳＣＧのため又は前記第２の無線ベアラのための圧縮／解凍コンテキストを継続することを示す別のフィールドを含まない場合、又は、前記ＲＲＣメッセージが前記ＳＣＧのため又は前記第２の無線ベアラのための圧縮／解凍コンテキストをリセットすることを示すフィールドを含む場合に、前記第２の圧縮／解凍コンテキストをリセットすること、又は、
前記ＲＲＣメッセージが前記ＳＣＧのため又は前記第２の無線ベアラのための圧縮／解凍コンテキストを継続することを示す前記別のフィールドを含む場合、前記第２の圧縮／解凍コンテキストをリセットしないこと、
を含む、請求項８に記載の通信装置。
【請求項１１】
前記ＲＲＣメッセージは、プライマリセカンダリセル（ＰＳＣｅｌｌ）を第１の基地局のセルから前記第１の基地局の別のセルに変更し、あるいは第２の基地局から前記第１の基地局へのハンドオーバを示す、請求項８に記載の通信装置。
【発明の詳細な説明】
【技術分野】
【０００１】
本発明は、ワイヤレス通信システムにおいて使用される通信装置に関し、より具体的に、ワイヤレス通信システムにおいてネットワーク構成を扱う通信装置に関する。
【背景技術】
【０００２】
ＬＴＥ（long-term  evolution）システムが、ＵＭＴＳ（universal  mobile  telecommunication  system）の後継として、増加するユーザのニーズを満足するようにＵＭＴＳのパフォーマンスをさらに強化するために、３ＧＰＰによって開発されている。ＬＴＥシステムにおいて、Ｅ‐ＵＴＲＡＮ（evolved  universal  terrestrial  radio  access  network）として知られる無線アクセスネットワークが、少なくとも１つのｅＮＢ（evolved  Node-Bs）を含み、該ｅＮＢは、少なくとも１つのユーザ機器（ＵＥ）と通信し、ＮＡＳ（Non-Access  Stratum）制御のためにモビリティ管理エンティティ（ＭＭＥ）、サービングゲートウェイ等を含むコアネットワークと通信する。
【０００３】
ＬＴＥ‐Ａ（LTE-advanced）システムは、ＬＴＥシステムの発展したものである。ＬＴＥ‐Ａシステムは、パワーステート間のより迅速な切り換えをターゲットとし、ｅＮＢのカバレッジ端におけるパフォーマンスを向上させ、進化した手法、例えば、キャリアアグリゲーション（ＣＡ）、協調マルチポイント（ＣｏＭＰ）送信／受信等を用いることによってピークデータレート及びスループットを増加させる。
【０００４】
ＵＥは、デュアルコネクティビティで構成されるとき、２つのｅＮＢからパケット（例えば、トランスポートブロック（ＴＢ））を受信し／２つのｅＮＢにパケット（例えば、トランスポートブロック（ＴＢ））を送信し得る。デュアルコネクティビティが動作するとき、ＵＥのスループットは向上される。しかしながら、デュアルコネクティビティに従ってマスタセルグループ（ＭＣＧ）及び／又はセカンダリセルグループ（ＳＣＧ）のために構成される無線リンク制御（ＲＬＣ）構成（すなわち、ｒｌｃ‐ｃｏｎｆｉｇ）、パケットデータ収束プロトコル（packet  data  convergence  protocol；ＰＤＣＰ）構成（すなわち、ｐｄｃｐ‐ｃｏｎｆｉｇ）及び／又は半永続的スケジューリング（semi-persistent  scheduling；ＳＰＳ）構成（すなわち、ｓｐｓ‐ｃｏｎｆｉｇ）の再構成をどのように実行するかは、明りょうになっていない。
【０００５】
一方、従来技術によれば、ＵＥは、セカンダリｅＮＢ（ＳｅＮＢ）のプライマリセカンダリセル（ＰＳＣｅｌｌ）をＳｅＮＢのあるセルからＳｅＮＢの別のセルに変更し、あるいはマスタｅＮＢ（ＭｅＮＢ）からＳｅＮＢへのハンドオーバを実行するとき、ＳＣＧベアラタイプを有する無線ベアラのヘッダ圧縮／解凍について、ヘッダ圧縮／解凍プロトコルをリセットする。換言すると、ＵＥは、無線ベアラのＰＤＣＰサービスデータユニット（ＳＤＵ）のヘッダ圧縮／解凍についてのコンテキストを再確立し、あるいはリセットする。すなわち、ＵＥは、ヘッダ圧縮では、Ｕモードにおいて初期化＆リフレッシュ（ＩＲ）状態で開始する。ＵＥは、ヘッダ解凍では、コンテキストのない状態で開始する。したがって、ヘッダ圧縮／解凍の効率が低下する。
【先行技術文献】
【非特許文献】
【０００６】
【非特許文献１】3GPP  TS  36.300  V12.4.0  (2014年12月)  Technical  Specification  3rd  Generation  Partnership  Project、  Technical  Specification  Group  Radio  Access  Network、  Evolved  Universal  Terrestrial  Radio  Access  (E-UTRA)  and  Evolved  Universal  Terrestrial  Radio  Access  Network  (E-UTRAN)、  Overall  description、  Stage  2  (Release  12)
【非特許文献２】3GPP  TS  36.331  V12.4.1  (2014年12月)  Technical  Specification  3rd  Generation  Partnership  Project、  Technical  Specification  Group  Radio  Access  Network、  Evolved  Universal  Terrestrial  Radio  Access  (E-UTRA)、  Radio  Resource  Control  (RRC)、  Protocol  specification  (Release  12)
【非特許文献３】3GPP  TS  36.323  V12.2.0  (2014年12月)  Technical  Specification  3rd  Generation  Partnership  Project、  Technical  Specification  Group  Radio  Access  Network、  Evolved  Universal  Terrestrial  Radio  Access  (E-UTRA)、  Packet  Data  Convergence  Protocol  (PDCP)  specification  (Release  12)
【非特許文献４】3GPP  TS  36.323  V12.1.0  (2014年09月)  Technical  Specification  3rd  Generation  Partnership  Project、  Technical  Specification  Group  Radio  Access  Network、  Evolved  Universal  Terrestrial  Radio  Access  (E-UTRA)、  Packet  Data  Convergence  Protocol  (PDCP)  specification  (Release  12)
【非特許文献５】3GPP  TS  36.331  V12.3.0  (2014年09月)  Technical  Specification  3rd  Generation  Partnership  Project、  Technical  Specification  Group  Radio  Access  Network、  Evolved  Universal  Terrestrial  Radio  Access  (E-UTRA)、  Radio  Resource  Control  (RRC)、  Protocol  specification  (Release  12)
【非特許文献６】3GPP  TSG-RAN  WG2  Meeting  #88  R2-144660  San  Francisco、  USA、  2014年11月17-21日  CR-Form-v11  CHANGE  REQUEST  36.300  CR  CRNum  rev  -  Current  version:  12.3.0
【非特許文献７】3GPP  TSG-RAN2  Meeting  #87  bis  R2-144664  Shanghai、  P.R.  China、  2014年10月6-10日  CR-Form-v11  CHANGE  REQUEST  36.331  CR  CRNum  rev  -  Current  version:  12.3.0
【非特許文献８】3GPP  TSG-RAN2  Meeting  #88  R2-145133  San  Francisco、  USA、  2014年11月17-21日  CR-Form-v11  CHANGE  REQUEST  36.331  CR  CRNum  rev  -  Current  version:  12.3.0
【発明の概要】
【０００７】
したがって、本発明は、前述された問題を解決するようにネットワーク構成を扱う通信装置及び方法を提供する。
【０００８】
ネットワーク構成を扱う通信装置が、命令を記憶した記憶ユニットと、記憶ユニットに結合された処理手段とを含む。処理手段は、記憶ユニットに記憶された命令を実行するように構成される。上記命令は、第１の基地局からマスタセルグループ（ＭＣＧ）ベアラとして第１の無線ベアラを構成する第１の構成を受信する命令であって、上記第１の構成は、上記第１の基地局と通信するためのものである、命令と、上記第１の基地局からセカンダリセルグループ（ＳＣＧ）ベアラとして第２の無線ベアラを構成する第２の構成を受信する命令であって、上記第２の構成は、第２の基地局と通信するための無線リンク制御（ＲＬＣ）構成とパケットデータ収束プロトコル（ＰＤＣＰ）構成と半永続的スケジューリング（ＳＰＳ）構成とのうち少なくとも１つを含む、命令と、上記ＲＬＣ構成と上記ＰＤＣＰ構成と上記ＳＰＳ構成とのうち少なくとも１つの再構成を示す無線リソース制御（ＲＲＣ）メッセージを受信する命令と、下記の条件、すなわち、上記ＲＲＣメッセージが上記通信装置のＳＣＧを変更する、及び上記ＲＲＣメッセージが上記第２の無線ベアラを上記ＳＣＧベアラから上記ＭＣＧベアラに再構成する、のうち少なくとも１つが満たされるとき、上記ＲＲＣメッセージに従って上記再構成を実行する命令と、上記条件のいずれも満たされないとき、上記再構成の実行を停止する命令と、を含む。
【０００９】
ネットワーク構成を扱う第１の基地局が、命令を記憶した記憶ユニットと、記憶ユニットに結合された処理手段とを含む。処理手段は、記憶ユニットに記憶された命令を実行するように構成される。上記命令は、マスタセルグループ（ＭＣＧ）ベアラとして第１の無線ベアラを構成する第１の構成を通信装置に送信する命令であって、上記第１の構成は、上記第１の基地局と通信するためのものである、命令と、セカンダリセルグループ（ＳＣＧ）ベアラとして第２の無線ベアラを構成する第２の構成を上記通信装置に送信する命令であって、上記第２の構成は、第２の基地局と通信するための無線リンク制御（ＲＬＣ）構成とパケットデータ収束プロトコル（ＰＤＣＰ）構成と半永続的スケジューリング（ＳＰＳ）構成とのうち少なくとも１つを含む、命令と、上記ＲＬＣ構成と上記ＰＤＣＰ構成と上記ＳＰＳ構成とのうち少なくとも１つを再構成するように決定する命令と、上記決定に従って上記ＲＬＣ構成と上記ＰＤＣＰ構成とのうち少なくとも１つの再構成を示す無線リソース制御（ＲＲＣ）メッセージを送信する命令であって、上記ＲＲＣメッセージは上記通信装置のＳＣＧを変更し、あるいは上記ＲＲＣメッセージは上記第２の無線ベアラを上記ＳＣＧベアラから上記ＭＣＧベアラに再構成する、命令と、を含む。
【００１０】
ヘッダ圧縮／解凍を扱う通信装置が、命令を記憶した記憶ユニットと、記憶ユニットに結合された処理手段とを含む。処理手段は、記憶ユニットに記憶された命令を実行するように構成される。上記命令は、セカンダリセルグループ（ＳＣＧ）ベアラとして第１の無線ベアラを構成する第１の無線ベアラ構成と、プライマリセカンダリセル（ＰＳＣｅｌｌ）として第１の基地局のセルを構成するＰＳＣｅｌｌ構成とを受信する命令であって、上記第１の無線ベアラ構成及び上記ＰＳＣｅｌｌ構成は、上記第１の基地局と通信するためのものである、命令と、第２の基地局と通信するためのマスタセルグループ（ＭＣＧ）ベアラ又はスプリットベアラとして第２の無線ベアラを構成する第２の無線ベアラ構成を受信する命令と、上記第１の無線ベアラの第１の複数のパケットデータ収束プロトコル（ＰＤＣＰ）サービスデータユニット（ＳＤＵ）を圧縮するためのヘッダ圧縮コンテキストを確立し、かつ／あるいは上記第１の無線ベアラの第２の複数のＰＤＣＰ  ＳＤＵを解凍するためのヘッダ解凍コンテキストを確立する命令と、上記ヘッダ圧縮コンテキストに従って上記第１の複数のＰＤＣＰ  ＳＤＵを第１の複数の圧縮されたＰＤＣＰ  ＳＤＵに圧縮し、及び上記第１の複数の圧縮されたＰＤＣＰ  ＳＤＵを上記第１の基地局に送信し、かつ／あるいは、上記第２の複数のＰＤＣＰ  ＳＤＵを上記第１の基地局から受信し、及び上記ヘッダ解凍コンテキストに従って上記第２の複数のＰＤＣＰ  ＳＤＵを第２の複数の解凍されたＰＤＣＰ  ＳＤＵに解凍する命令と、上記第２の基地局に対する上記第２の無線ベアラの複数のＰＤＣＰ  ＳＤＵを送信する命令と、上記ＰＳＣｅｌｌを上記第１の基地局の上記セルから上記第１の基地局の別のセルに変更し、又は上記第２の基地局から上記第１の基地局へのハンドオーバを示す、無線リソース制御（ＲＲＣ）メッセージを受信する命令と、上記ＲＲＣメッセージを受信するとき、上記ヘッダ圧縮コンテキスト又は上記ヘッダ解凍コンテキストを維持する命令と、上記ＲＲＣメッセージを受信した後、上記ヘッダ圧縮コンテキストに従って上記第１の無線ベアラの第３の複数のＰＤＣＰ  ＳＤＵを第３の複数の圧縮されたＰＤＣＰ  ＳＤＵに圧縮し、及び上記第３の複数の圧縮されたＰＤＣＰ  ＳＤＵを上記第１の基地局に送信し、かつ／あるいは、上記ＲＲＣメッセージを受信した後、上記第１の無線ベアラの第４の複数のＰＤＣＰ  ＳＤＵを受信し、及び上記ヘッダ解凍コンテキストに従って上記第４の複数のＰＤＣＰ  ＳＤＵを第４の複数の解凍されたＰＤＣＰ  ＳＤＵに解凍する命令と、を含む。
【００１１】
第１の基地局及び第２の基地局のためのヘッダ圧縮／解凍を扱う方法が、上記第２の基地局が、セカンダリセルグループ（ＳＣＧ）ベアラとして第１の無線ベアラを構成する第１の無線ベアラ構成と、プライマリセカンダリセル（ＰＳＣｅｌｌ）として上記第１の基地局のセルを構成するＰＳＣｅｌｌ構成とを通信装置に送信するステップであって、上記第１の無線ベアラ構成及び上記ＰＳＣｅｌｌ構成は、上記通信装置と通信するためのものである、ステップと、上記第２の基地局が、上記通信装置と通信するためのマスタセルグループ（ＭＣＧ）ベアラ又はスプリットベアラとして第２の無線ベアラを構成するための第２の無線ベアラ構成を上記通信装置に送信するステップと、上記第１の基地局が、上記第１の無線ベアラの第１の複数のパケットデータ収束プロトコル（ＰＤＣＰ）サービスデータユニット（ＳＤＵ）を圧縮するためのヘッダ圧縮コンテキストを確立し、かつ／あるいは上記第１の無線ベアラの第２の複数のＰＤＣＰ  ＳＤＵを解凍するためのヘッダ解凍コンテキストを確立するステップと、上記第１の基地局が、上記ヘッダ圧縮コンテキストに従って上記第１の複数のＰＤＣＰ  ＳＤＵを第１の複数の圧縮されたＰＤＣＰ  ＳＤＵに圧縮し、及び上記第１の複数の圧縮されたＰＤＣＰ  ＳＤＵを上記通信装置に送信し、かつ／あるいは、上記第２の複数のＰＤＣＰ  ＳＤＵを上記通信装置から受信し、及び上記ヘッダ解凍コンテキストに従って上記第２の複数のＰＤＣＰ  ＳＤＵを第２の複数の解凍されたＰＤＣＰ  ＳＤＵに解凍するステップと、上記第２の基地局が、上記通信装置に対する上記第２の無線ベアラの複数のＰＤＣＰ  ＳＤＵを送信し、あるいは受信するステップと、上記第２の基地局が、上記ＰＳＣｅｌｌを上記第１の基地局の上記セルから上記第１の基地局の別のセルに変更し、又は上記第２の基地局から上記第１の基地局へのハンドオーバを示す、無線リソース制御（ＲＲＣ）メッセージを送信するステップと、上記第１の基地局が、上記ＰＳＣｅｌｌの変更を開始し、又は上記ハンドオーバを開始するときに、上記ヘッダ圧縮コンテキスト又は上記ヘッダ解凍コンテキストを維持するステップと、上記第１の基地局が、上記ＲＲＣメッセージを受信した後、上記ヘッダ圧縮コンテキストに従って上記第１の無線ベアラの第３の複数のＰＤＣＰ  ＳＤＵを第３の複数の圧縮されたＰＤＣＰ  ＳＤＵに圧縮し、及び上記第３の複数の圧縮されたＰＤＣＰ  ＳＤＵを上記通信装置に送信し、かつ／あるいは、上記ＲＲＣメッセージを受信した後、上記第１の無線ベアラの第４の複数のＰＤＣＰ  ＳＤＵを上記通信装置から受信し、及び上記ヘッダ解凍コンテキストに従って上記第４の複数のＰＤＣＰ  ＳＤＵを第４の複数の解凍されたＰＤＣＰ  ＳＤＵに解凍するステップと、を含む。
【００１２】
ヘッダ圧縮／解凍を扱う通信装置が、命令を記憶した記憶ユニットと、記憶ユニットに結合された処理手段とを含む。処理手段は、記憶ユニットに記憶された命令を実行するように構成される。上記命令は、無線リソース制御（ＲＲＣ）メッセージを受信する命令と、前記ＲＲＣメッセージに従って第１の無線ベアラ及び第２の無線ベアラのためのプロトコルデータ収束プロトコル（ＰＤＣＰ）再確立を実行する命令と、前記ＲＲＣメッセージが圧縮／解凍コンテキストを継続することを示すフィールドを含まない場合、前記ＰＤＣＰ再確立に従って、前記第１の無線ベアラの第１の圧縮／解凍コンテキストと前記第２の無線ベアラの第２の圧縮／解凍コンテキストとをリセットする命令と、前記ＲＲＣメッセージが圧縮／解凍コンテキストを継続することを示す前記フィールドを含む場合、前記ＰＤＣＰ再確立に従って、前記第１の圧縮／解凍コンテキストをリセットし、前記第２の圧縮／解凍コンテキストをリセットしない命令と、を含む。
【００１３】
本発明に係る上記及び他の目的が、疑いなく、様々な図及び図面に示される好適な実施形態についての下記の詳細な説明を読んだ当業者に明らかになるであろう。
【図面の簡単な説明】
【００１４】
【図１】本発明の一例によるワイヤレス通信システムの概略図である。
【図２】本発明の一例による通信装置の概略図である。
【図３】本発明の一例によるプロセスのフローチャートである。
【図４】本発明の一例によるプロセスのフローチャートである。
【図５】本発明の一例によるプロセスのフローチャートである。
【図６】本発明の一例によるプロセスのフローチャートである。
【図７】本発明の一例によるプロセスのフローチャートである。
【発明を実施するための形態】
【００１５】
図１は、本発明の一例によるワイヤレス通信システム１０の概略図である。ワイヤレス通信システム１０は、簡単に言えば、通信装置１００と基地局１０２及び１０４とで構成されている。図１において、通信装置１００と基地局１０２及び１０４とは、ワイヤレス通信システム１０の構造を例示するために単に利用されている。実際には、基地局１０２及び／又は基地局１０４は、発展型ＵＴＲＡＮ（Ｕ‐ＵＴＲＡＮ）、ＬＴＥ（long  term  evolution）システム、ＬＴＥ‐Ａ（LTE-Advanced）システム又はＬＴＥ‐Ａシステムの発展したものにおける発展型ＮＢ（ｅＮＢ）及び／又は中継局であり得る。図１において、基地局１０２及び基地局１０４のカバレッジエリアは、部分的に重なり得る。
【００１６】
図１に示されるとおり、通信装置１００は、通信装置１００に対して構成されたデュアルコネクティビティ（dual  connectivity）に従って、基地局１０２及び基地局１０４と同時に通信するように構成されることができる。すなわち、通信装置１００は、基地局１０２と１０４との双方を介して送信／受信を実行することができる。例えば、通信装置１００は、デュアルコネクティビティに従って基地局１０２及び１０４からパケット（例えば、トランスポートブロック（ＴＢ））を受信することができ、あるいは、通信装置１００は、デュアルコネクティビティに従って基地局１０２及び１０４にパケット（例えば、ＴＢ）を送信することができる。一般に、このことは、通信装置１００が基地局１０２と１０４との双方からパケットを受信するとき、デュアルコネクティビティに従って基地局１０２の少なくとも１つのセルと基地局１０４の少なくとも１つのセルとからパケットを受信することを意味する。同様に、上記のことは、通信装置１００が基地局１０２と１０４との双方にパケットを送信するとき、デュアルコネクティビティに従って基地局１０２の少なくとも１つのセル及び／又は基地局１０４の少なくとも１つのセルにパケットを送信することを意味する。さらに、第３世代パートナーシッププロジェクト（３ＧＰＰ）に定義されるデュアルコネクティビティに従い、基地局１０２と１０４とのうち１つはマスタｅＮＢ（ＭｅＮＢ）であり得、他の基地局はセカンダリｅＮＢ（ＳｅＮＢ）であり得る。通信装置１００と通信するＭｅＮＢのセルの１つはプライマリセル（ＰＣｅｌｌ）であり得、ＭｅＮＢの他のセル（もし利用可能であれば）はセカンダリセル（ＳＣｅｌｌ）であり得る。通信装置１００と通信するＳｅＮＢのセルの１つはプライマリＳＣｅｌｌ（ＰＳＣｅｌｌ）であり得、ＳｅＮＢの他のセル（もし利用可能であれば）はＳＣｅｌｌであり得る。
【００１７】
通信装置１００は、ユーザ機器（ＵＥ）、低コスト装置（例えば、マシンタイプ通信（ＭＴＣ）装置）、デバイスツーデバイス（Ｄ２Ｄ）装置、モバイルフォン、ラップトップ、タブレットコンピュータ、電子ブック、ポータブルコンピュータシステム、車両、飛行機、又はこれらの組み合わせであり得る。さらに、通信装置１００、基地局１０２又は基地局１０４は、その送信方向に従って、送信機又は受信機として見なされてよい。例えば、アップリンク（ＵＬ）について、通信装置１００が送信機であって基地局１０２及び／又は基地局１０４が受信機であり、ダウンリンク（ＤＬ）について、基地局１０２及び／又は基地局１０４が送信機であって通信装置１００が受信機である。
【００１８】
図２は、本発明の一例による通信装置２０の概略図である。通信装置２０は、図１に示される通信装置１００、基地局１０２及び／又は基地局１０４であり得るが、本明細書において限定されない。通信装置２０は、マイクロプロセッサ又は特定用途向け集積回路（ＡＳＩＣ）などの処理手段２００と、記憶ユニット２１０と、通信インターフェースユニット２２０とを含み得る。記憶ユニット２１０は、プログラムコード２１４を記憶することができる任意のデータ記憶装置であってよく、処理手段２００によってアクセスされ、実行されることができる。記憶ユニット２１０の例には、これらに限られないが、加入者識別モジュール（ＳＩＭ）、読取専用メモリ（ＲＯＭ）、フラッシュメモリ、ランダムアクセスメモリ（ＲＡＭ）、コンパクトディスク読取専用メモリ（ＣＤ‐ＲＯＭ）、デジタル多用途ディスク‐ＲＯＭ（ＤＶＤ‐ＲＯＭ）、ブルーレイディスク‐ＲＯＭ（ＢＤ‐ＲＯＭ）、磁気テープ、ハードディスク、光学データ記憶装置、不揮発性記憶ユニット、非一時的コンピュータ読取可能媒体（例えば、有形媒体）等が含まれる。通信インターフェースユニット２２０は、好ましくは送受信機であり、処理手段２００の処理結果に従って信号（例えば、データ、信号、メッセージ及び／又はパケット）を送信し及び受信することに使用される。
【００１９】
図３は、本発明の一例によるプロセス３０のフローチャートである。プロセス３０は、ネットワーク構成を扱うために、通信装置（例えば、通信装置１００）において利用することができる。プロセス３０は、プログラムコード２１４へとコンパイルされることができ、下記のステップを含む。
【００２０】
ステップ３００：開始。
【００２１】
ステップ３０２：第１の基地局からマスタセルグループ（ＭＣＧ）ベアラとして第１の無線ベアラを構成する第１の構成を受信する。第１の構成は、第１の基地局と通信するためのものである。
【００２２】
ステップ３０４：第１の基地局からセカンダリセルグループ（ＳＣＧ）ベアラとして第２の無線ベアラを構成する第２の構成を受信する。第２の構成は、第２の基地局と通信するための無線リンク制御（ＲＬＣ）構成とパケットデータ収束プロトコル（ＰＤＣＰ）構成と半永続的スケジューリング（ＳＰＳ）構成とのうち少なくとも１つを含む。
【００２３】
ステップ３０６：ＲＬＣ構成とＰＤＣＰ構成とＳＰＳ構成とのうち少なくとも１つの再構成を示す無線リソース制御（ＲＲＣ）メッセージを受信する。
【００２４】
ステップ３０８：下記の条件のうち少なくとも１つが満たされるとき、ＲＲＣメッセージに従って再構成を実行する：ＲＲＣメッセージが通信装置のＳＣＧを変更すること、及び、ＲＲＣメッセージが第２の無線ベアラをＳＣＧベアラからＭＣＧベアラに再構成すること。
【００２５】
ステップ３１０：条件のいずれも満たされないとき、再構成の実行を停止する。
【００２６】
ステップ３１２：終了。
【００２７】
プロセス３０によれば、通信装置は、第１の基地局（例えば、基地局１０２）からＭＣＧベアラとして第１の無線ベアラを構成する第１の構成を受信し、第１の構成は、第１の基地局と通信するためのものである。通信装置は、第１の無線ベアラを構成されている間、第１の基地局からＳＣＧベアラとして第２の無線ベアラを構成する第２の構成を受信し、第２の構成は、第２の基地局（例えば、基地局１０４）と通信するためのＲＬＣ構成とＰＤＣＰ構成とＳＰＳ構成とのうち少なくとも１つを含むことができる。その後、通信装置は、ＲＬＣ構成とＰＤＣＰ構成とＳＰＳ構成のとのうち少なくとも１つの再構成を示すＲＲＣメッセージを受信する。それから、通信装置は、下記の条件のうち少なくとも１つが満たされるとき、ＲＲＣメッセージに従って再構成を実行する：ＲＲＣメッセージが通信装置のＳＣＧを変更すること（すなわち、ＳＣＧ変更又はＰＳＣｅｌｌ変更）、及び、ＲＲＣメッセージが第２の無線ベアラをＳＣＧベアラからＭＣＧベアラに再構成すること（この条件は、ＳＰＳ構成の再構成に適用されなくてもよいことに留意する）。さらに、条件のいずれも満たされないとき、通信装置は再構成の実行を停止することができる。
【００２８】
換言すると、第１の基地局は、ＳＣＧベアラのＰＤＣＰ構成とＲＬＣ構成とのうち少なくとも１つを再構成する構成を含むＲＲＣメッセージを送信し、ＲＲＣメッセージは、ＳＣＧを変更する（すなわち、ＳＣＧ変更が発生する）。通信装置がＲＲＣメッセージを受信し、ＲＲＣメッセージがＳＣＧ変更を示すと決定するとき、通信装置は、その構成に従って再構成を実行する。ＲＲＣメッセージがＳＣＧ変更を示していない場合、通信装置は再構成を実行しない。第１の基地局は、第１のＲＲＣメッセージ、例えば、ＲＲＣＣｏｎｎｅｃｔｉｏｎＲｅｃｏｎｆｉｇｕｒａｔｉｏｎメッセージにおいて、通信装置に第１の構成を送信することができることに留意されたい。第１の基地局は、第２のＲＲＣメッセージ、例えば、ＲＲＣＣｏｎｎｅｃｔｉｏｎＲｅｃｏｎｆｉｇｕｒａｔｉｏｎメッセージにおいて、通信装置に第２の構成を送信することができる。第２の構成は、第２のＲＲＣメッセージの中のＳＣＧ構成に含まれてもよく、ＳＣＧ構成は、第２の基地局のセルを識別するセル識別情報（例えば、セルグローバル識別子、物理セルアイデンティティ及び／又はダウンリンク搬送波周波数）を含むことができる。
【００２９】
プロセス３０の実現は、上記の説明に限定されない。
【００３０】
一例において、プロセス３０の中の条件は、ＲＲＣメッセージがＲＲＣ接続再確立の後の第１のメッセージであること、及び、ＲＲＣメッセージがハンドオーバメッセージであることを含むことができる。さらに、上記条件は、ＲＲＣメッセージが第２の無線ベアラをＳＣＧベアラからスプリットベアラ（split  bearer）に再構成することを含んでもよい。一例において、通信装置は、再構成の実行を停止するとき、ＲＲＣ接続再確立手順を実行することができる。一例において、通信装置は、再構成を無視することによって、再構成の実行を停止することができる。
【００３１】
一例において、再構成を実行するステップは、ＲＣＬ構成を適用することを含むことができ、通信装置は、ＲＲＣメッセージに応答して第２の無線ベアラのＲＬＣエンティティをさらに再確立することができる。一例において、再構成を実行するステップは、ＰＤＣＰ構成を適用することを含むことができ、通信装置は、ＲＲＣメッセージに応答して第２の無線ベアラのＰＤＣＰエンティティをさらに再確立することができる。一例において、再構成を実行するステップは、ＳＰＳ構成を適用することを含むことができ、通信装置は、ＲＲＣメッセージに応答して第２の無線ベアラのＭＡＣエンティティをさらにリセットすることができる。
【００３２】
図４は、本発明の一例によるプロセス４０のフローチャートである。プロセス４０は、ネットワーク構成を扱うために、第１の基地局（例えば、基地局１０２又は基地局１０４）において利用することができる。プロセス４０は、プログラムコード２１４へとコンパイルされることができ、下記のステップを含む。
【００３３】
ステップ４００：開始。
【００３４】
ステップ４０２：ＭＣＧベアラとして第１の無線ベアラを構成する第１の構成を通信装置に送信する。第１の構成は、第１の基地局と通信するためのものである。
【００３５】
ステップ４０４：ＳＣＧベアラとして第２の無線ベアラを構成する第２の構成を通信装置に送信する。第２の構成は、第２の基地局と通信するためのＲＬＣ構成とＰＤＣＰ構成とＳＰＳ構成とのうち少なくとも１つを含む。
【００３６】
ステップ４０６：ＲＬＣ構成とＰＤＣＰ構成とＳＰＳ構成とのうち少なくとも１つを再構成するように決定する。
【００３７】
ステップ４０８：上記決定に従ってＲＬＣ構成とＰＤＣＰ構成とのうち少なくとも１つの再構成を示すＲＲＣメッセージを送信する。ＲＲＣメッセージは通信装置のＳＣＧを変更し、あるいは、ＲＲＣメッセージは第２の無線ベアラをＳＣＧベアラからＭＣＧベアラに再構成する。
【００３８】
ステップ４１０：終了。
【００３９】
プロセス４０によれば、第１の基地局は、ＭＣＧベアラとして第１の無線ベアラを構成する第１の構成を通信装置（例えば、通信装置１００）に送信し、第１の構成は、第１の基地局と通信するためのものである。第１の基地局は、通信装置が第１の無線ベアラを構成されている間、ＳＣＧベアラとして第２の無線ベアラを構成する第２の構成を通信装置に送信し、第２の構成は、第２の基地局（例えば、基地局１０２又は基地局１０４）と通信するためのＲＬＣ構成とＰＤＣＰ構成とＳＰＳ構成とのうち少なくとも１つを含むことができる。その後、第１の基地局は、ＲＬＣ構成とＰＤＣＰ構成とＳＰＳ構成とのうち少なくとも１つを再構成するように決定する。それから、第１の基地局は、上記決定に従って、ＲＬＣ構成とＰＤＣＰ構成とのうち少なくとも１つの再構成を示すＲＲＣメッセージを送信する。ＲＲＣメッセージは通信装置のＳＣＧを変更し、あるいは、ＲＲＣメッセージは第２の無線ベアラをＳＣＧベアラからＭＣＧベアラに再構成する。プロセス４０は、プロセス３０とインターフェースをとるように使用することができるが、本明細書において限定されない。すなわち、プロセス４０における第１の基地局、第２の基地局及び通信装置は、プロセス３０におけるこれらのものと見なされてもよい。
【００４０】
プロセス４０に関連する一例が、下記のとおり例示される。ネットワーク（例えば、第１の基地局又は第２の基地局）が、データレートを増加させること、データレートを減少させること、ＭｅＮＢがＳｅＮＢによって構成されたＰＤＣＰ／ＲＬＣ構成をサポートしないこと、又はＳｅＮＢが以前のＳｅＮＢによって構成されたＰＤＣＰ／ＲＬＣ構成をサポートしないことを理由として、ＰＤＣＰ構成（例えば、ＰＤＣＰ  ＳＮサイズ）又はＲＬＣ構成（例えば、ＲＬＣ  ＳＮサイズ）を変更するように決定し得る。通信装置が、第２の無線ベアラのためのＰＤＣＰ構成を含むＲＲＣメッセージを受信し、ＲＲＣメッセージが、通信装置のＳＣＧを変更し、あるいは第２の無線ベアラをＳＣＧベアラからＭＣＧベアラに再構成するとき、通信装置は、第２の無線ベアラのＰＤＣＰエンティティを再確立し、ＰＤＣＰ構成を第２の無線ベアラのＰＤＣＰエンティティに適用する。ＲＲＣメッセージを送信した後、ネットワークもまた、第２の無線ベアラのＰＤＣＰエンティティを再確立し、ＰＤＣＰ構成を第２の無線ベアラのＰＤＣＰエンティティに適用する。このことは、通信装置をネットワークと同期させて、ＰＤＣＰ構成の中の新しいパラメータ（例えば、新しいＰＤＣＰ  ＳＮサイズ）を適用する。ＰＤＣＰエンティティが再確立されない場合、ネットワークがＰＤＣＰ構成を送信した後、通信装置は、ＰＤＣＰ  ＰＤＵをネットワークに送信するのに古いパラメータ（例えば、古いＰＤＣＰ  ＳＮサイズ）を依然として適用し得る。したがって、ネットワークもまた、古いパラメータを依然として適用し得る。
【００４１】
同様にして、通信装置が、第２の無線ベアラのためのＲＬＣ構成を含むＲＲＣメッセージを受信し、ＲＲＣメッセージが、通信装置のＳＣＧを変更し、あるいは第２の無線ベアラをＳＣＧベアラからＭＣＧベアラに再構成するとき、通信装置は、第２の無線ベアラのＲＬＣエンティティを再確立し、ＲＬＣ構成を第２の無線ベアラのＲＬＣエンティティに適用する。ＲＲＣメッセージを送信した後、ネットワークもまた、第２の無線ベアラのＲＬＣエンティティを再確立し、ＲＬＣ構成を第２の無線ベアラのＲＬＣエンティティに適用する。このことは、通信装置をネットワークと同期させて、ＲＬＣ構成の中の新しいパラメータ（例えば、新しいＲＬＣ  ＳＮサイズ）を適用する。ＲＬＣエンティティが再確立されない場合、ネットワークがＲＬＣ構成を送信した後、通信装置は、ＲＬＣ  ＰＤＵをネットワークに送信するのに古いパラメータ（例えば、古いＲＬＣ  ＳＮサイズ）を依然として適用し得る。したがって、ネットワークもまた、古いパラメータを依然として適用し得る。
【００４２】
同様に、ネットワークは、ＭＣＧベアラである第３の無線ベアラをＳＣＧベアラに再構成するとき、ＲＬＣ構成とＰＤＣＰ構成とのうち少なくとも１つを再構成する別のＲＲＣメッセージを送信することができる。この状況において、通信装置は、他のＲＲＣメッセージに応答して、第３の無線ベアラのＰＤＣＰエンティティとＲＬＣエンティティとを再確立する。ネットワークは、スプリットベアラのＰＤＣＰ構成を再構成するように決定する場合、ＭｏｂｉｌｉｔｙＣｏｎｔｒｏｌＩｎｆｏ情報要素を含むＲＲＣメッセージを送信することによってハンドオーバ手順を使用してもよいことが留意されるべきである。ネットワークは、スプリットベアラのＳＣＧ  ＲＬＣエンティティのＲＬＣ構成を再構成するように決定する場合、通信装置のＰＳＣｅｌｌを変更するＲＲＣメッセージを送信してもよい。
【００４３】
ネットワークは、通信装置がＳＣＧベアラのためのＰＤＣＰ再確立を実行することをトリガしないＲＲＣメッセージを使用することによって、ＳＣＧベアラのためのＰＤＣＰ構成の再構成を実行しなくてもよいことが留意されるべきである。ネットワークは、通信装置がスプリットベアラのＳＣＧ  ＲＬＣエンティティのためのＲＬＣ再確立を実行することをトリガしないＲＲＣメッセージを使用することによって、スプリットベアラのＳＣＧ  ＲＬＣエンティティのためのＲＬＣ構成の再構成を実行しなくてもよい。
【００４４】
一例において、プロセス３０及び／又は４０におけるＰＤＣＰ構成は、ＰＤＣＰタイマ値とＰＤＣＰシーケンス番号（ＳＮ）サイズとのうち少なくとも１つを含むことができ、ＲＬＣ構成は、ＲＬＣタイマ値とカウンタ値とＲＬＣ長さインジケータ（ＬＩ）サイズとＲＬＣ  ＳＮサイズとのうち少なくとも１つを含むことができ、ＳＰＳ構成は、ＳＰＳセル無線ネットワーク一時識別子（Cell  Radio  Network  Temporary  Identifier；Ｃ‐ＲＮＴＩ）とＳＰＳ間隔とのうち少なくとも１つを含むことができる。一例において、ＳＣＧを変更するＲＲＣメッセージは、ＭｏｂｉｌｉｔｙＣｏｎｔｒｏｌＩｎｆｏＳＣＧ情報要素を含むＲＲＣＣｏｎｎｅｃｔｉｏｎＲｅｃｏｎｆｉｇｕｒａｉｔｏｎメッセージであってもよく、上記情報要素は、ｔ３０７とＣ‐ＲＮＴＩとＲＡＣＨ‐ＣｏｎｆｉｇＤｅｄｉｃａｔｅｄとのうち少なくとも１つを含むことができる。一例において、ＲＬＣ構成とＰＣＤＰ構成とＳＰＳ構成とのうち少なくとも１つの再構成は、ＰＤＣＰタイマ値、ＰＤＣＰ  ＳＮサイズ、ＲＬＣタイマ値、カウンタ値、ＲＬＣ  ＬＩサイズ、ＲＬＣ  ＳＮサイズ、ＳＰＳ  Ｃ‐ＲＮＴＩ、及びＳＰＳ間隔のうち少なくとも１つの変更を含むことができる。一例において、第２の構成は、第２の無線ベアラを識別するデータ無線ベアラ（ＤＲＢ）アイデンティティを含むＤＲＢ‐ＴｏＡｄｄＭｏｄＳＣＧを含むことができ、第２の無線ベアラをＳＣＧベアラからＭＣＧベアラに再構成するＲＲＣメッセージは、第２の無線ベアラのＤＲＢアイデンティティを含み得るｄｒｂ‐ＴｏＡｄｄＭｏｄを含むＲＲＣＣｏｎｎｅｃｔｉｏｎＲｅｃｏｎｆｉｇｕｒａｉｔｏｎメッセージである。
【００４５】
図５は、本発明の一例によるプロセス５０のフローチャートである。プロセス５０は、ヘッダ圧縮／解凍を扱うために、通信装置（例えば、通信装置１００）において利用することができる。プロセス５０は、プログラムコード２１４へとコンパイルされることができ、下記のステップを含む。
【００４６】
ステップ５００：開始。
【００４７】
ステップ５０２：ＳＣＧベアラとして第１の無線ベアラを構成する第１の無線ベアラ構成と、ＰＳＣｅｌｌとして第１の基地局のセルを構成するＰＳＣｅｌｌ構成とを受信する。第１の無線ベアラ構成及びＰＳＣｅｌｌ構成は、第１の基地局と通信するためのものである。
【００４８】
ステップ５０４：第２の基地局と通信するためのＭＣＧベアラ又はスプリットベアラとして第２の無線ベアラを構成する第２の無線ベアラ構成を受信する。
【００４９】
ステップ５０６：第１の無線ベアラの第１の複数のＰＤＣＰサービスデータユニット（ＳＤＵ）を圧縮するためのヘッダ圧縮コンテキストを確立し、かつ／あるいは第１の無線ベアラの第２の複数のＰＤＣＰ  ＳＤＵを解凍するためのヘッダ解凍コンテキストを確立する。
【００５０】
ステップ５０８：ヘッダ圧縮コンテキストに従って第１の複数のＰＤＣＰ  ＳＤＵを第１の複数の圧縮されたＰＤＣＰ  ＳＤＵに圧縮し、第１の複数の圧縮されたＰＤＣＰ  ＳＤＵを第１の基地局に送信し、かつ／あるいは、第２の複数のＰＤＣＰ  ＳＤＵを第１の基地局から受信し、ヘッダ解凍コンテキストに従って第２の複数のＰＤＣＰ  ＳＤＵを第２の複数の解凍されたＰＤＣＰ  ＳＤＵに解凍する。
【００５１】
ステップ５１０：第２の基地局に対する第２の無線ベアラの複数のＰＤＣＰ  ＳＤＵを送信し、あるいは受信する。
【００５２】
ステップ５１２：ＰＳＣｅｌｌを第１の基地局の上記セルから第１の基地局の別のセルに変更し、又は第２の基地局から第１の基地局へのハンドオーバを示す、ＲＲＣメッセージを受信する。
【００５３】
ステップ５１４：ＲＲＣメッセージを受信するとき、ヘッダ圧縮コンテキスト又はヘッダ解凍コンテキストを維持する。
【００５４】
ステップ５１６：ＲＲＣメッセージを受信した後、ヘッダ圧縮コンテキストに従って第１の無線ベアラの第３の複数のＰＤＣＰ  ＳＤＵを第３の複数の圧縮されたＰＤＣＰ  ＳＤＵに圧縮し、第３の複数の圧縮されたＰＤＣＰ  ＳＤＵを第１の基地局に送信し、かつ／あるいは、ＲＲＣメッセージを受信した後、第１の無線ベアラの第４の複数のＰＤＣＰ  ＳＤＵを受信し、ヘッダ解凍コンテキストに従って第４の複数のＰＤＣＰ  ＳＤＵを第４の複数の解凍されたＰＤＣＰ  ＳＤＵに解凍する。
【００５５】
ステップ５１８：終了。
【００５６】
プロセス５０によれば、通信装置は、ＳＣＧベアラとして第１の無線ベアラを構成する第１の無線ベアラ構成とＰＳＣｅｌｌとして第１の基地局（例えばＳｅＮＢであり、これは基地局１０２又は基地局１０４であり得る）のセルを構成するＰＳＣｅｌｌ構成とを受信することができ、第１の無線ベアラ構成及びＰＳＣｅｌｌ構成は、第１の基地局と通信するためのものである。通信装置は、第２の基地局（例えばＭｅＮＢであり、これは基地局１０２又は基地局１０４であり得る）と通信するためのＭＣＧベアラ又はスプリットベアラとして第２の基地局を構成する第２の無線ベアラ構成を受信することができる。こうして、通信装置は、第１のベアラと第２の無線ベアラとの双方を用いて構成される。それから、通信装置は、第１の無線ベアラの第１の複数のＰＤＣＰ  ＳＤＵを圧縮するためのヘッダ圧縮を確立することができる。あるいは、通信装置は、第１の無線ベアラの第２の複数のＰＤＣＰ  ＳＤＵを解凍するためのヘッダ解凍コンテキストを確立することができる。通信装置は、ヘッダ圧縮コンテキストに従って第１の複数のＰＤＣＰ  ＳＤＵを第１の複数の圧縮されたＰＤＣＰ  ＳＤＵに圧縮することができ、第１の複数の圧縮されたＰＤＣＰ  ＳＤＵを第１の基地局に送信することができる。あるいは、通信装置は、第２の複数のＰＤＣＰ  ＳＤＵを第１の基地局から受信することができ、ヘッダ解凍コンテキストに従って第２の複数のＰＤＣＰ  ＳＤＵを第２の複数の解凍されたＰＤＣＰ  ＳＤＵに解凍することができる。通信装置は、第２の基地局に対する第２の無線ベアラの複数のＰＤＣＰ  ＳＤＵを送信する（あるいは受信する）ことができる。その後、通信装置は、ＰＳＣｅｌｌを第１の基地局の上記セルから第１の基地局の別のセルに変更し（すなわち、第１の基地局のＳＣＧ内でのＰＳＣｅｌｌ変更）、又は第２の基地局から第１の基地局へのハンドオーバを示す、ＲＲＣメッセージを受信することができる。通信装置は、ＲＲＣメッセージを受信するとき、ヘッダ圧縮コンテキスト又はヘッダ解凍コンテキストを維持する（すなわち、保持する）ことができる。通信装置は、ＲＲＣメッセージを受信した後、ヘッダ圧縮コンテキストに従って第１の無線ベアラの第３の複数のＰＤＣＰ  ＳＤＵを第３の複数の圧縮されたＰＤＣＰ  ＳＤＵに圧縮することができ、第３の複数の圧縮されたＰＤＣＰ  ＳＤＵを第１の基地局に送信することができる。あるいは、通信装置は、ＲＲＣメッセージを受信した後、第１の無線ベアラの第４の複数のＰＤＣＰ  ＳＤＵを受信することができ、ヘッダ解凍コンテキストに従って第４の複数のＰＤＣＰ  ＳＤＵを第４の複数の解凍されたＰＤＣＰ  ＳＤＵに解凍することができる。
【００５７】
プロセス５０によれば、通信装置がＳｅＮＢのＰＳＣｅｌｌをＳｅＮＢのあるセルからＳｅＮＢの別のセルに変更するとき、又は通信装置がＭｅＮＢからＳｅＮＢへのハンドオーバを実行するとき、通信装置は、ＳＣＧベアラタイプを有する無線ベアラのためのヘッダ圧縮／解凍コンテキストについて、ヘッダ圧縮／解凍コンテキストをリセットしない。したがって、通信装置は、Ｕモードにおいて初期化＆リフレッシュ（ＩＲ）状態でヘッダ圧縮／解凍を開始する必要がない。第２の基地局は、第１のＲＲＣメッセージ、例えば、ＲＲＣＣｏｎｎｅｃｔｉｏｎＲｅｃｏｎｆｉｇｕｒａｔｉｏｎメッセージの中で通信装置に第１の無線ベアラ構成及びＰＳＣｅｌｌ構成を送信することができることに留意されたい。ＰＳＣｅｌｌ構成は、第２の基地局のセルを識別するセル識別情報（例えば、セルグローバル識別子、物理セルアイデンティティ、及び／又はダウンリンク搬送波周波数）を含むことができる。第２の基地局は、第２のＲＲＣメッセージ、例えば、ＲＲＣＣｏｎｎｅｃｔｉｏｎＲｅｃｏｎｆｉｇｕｒａｔｉｏｎメッセージの中で第２の無線ベアラ構成を通信装置に送信することができる。
【００５８】
図６は、本発明の一例によるプロセス６０のフローチャートである。プロセス６０は、ヘッダ圧縮／解凍を扱うために、第１の基地局（例えばＳｅＮＢであり、これは第１の基地局１０２又は第２の基地局１０４であり得る）及び第２の基地局（例えばＭｅＮＢであり、これは第１の基地局１０２又は第２の基地局１０４であり得る）において利用することができる。プロセス６０は、プログラムコード２１４へとコンパイルされることができ、下記のステップを含む。
【００５９】
ステップ６００：開始。
【００６０】
ステップ６０２：第２の基地局が、ＳＣＧベアラとして第１の無線ベアラを構成する第１の無線ベアラ構成と、ＰＳＣｅｌｌとして第１の基地局のセルを構成するＰＳＣｅｌｌ構成とを通信装置に送信する。第１の無線ベアラ構成及びＰＳＣｅｌｌ構成は、通信装置と通信するためのものである。
【００６１】
ステップ６０４：第２の基地局が、通信装置と通信するためのＭＣＧベアラ又はスプリットベアラとして第２の無線ベアラを構成するための第２の無線ベアラ構成を通信装置に送信する。
【００６２】
ステップ６０６：第１の基地局が、第１の無線ベアラの第１の複数のＰＤＣＰ  ＳＤＵを圧縮するためのヘッダ圧縮コンテキストを確立し、かつ／あるいは第１の無線ベアラの第２の複数のＰＤＣＰ  ＳＤＵを解凍するためのヘッダ解凍コンテキストを確立する。
【００６３】
ステップ６０８：第１の基地局が、ヘッダ圧縮コンテキストに従って第１の複数のＰＤＣＰ  ＳＤＵを第１の複数の圧縮されたＰＤＣＰ  ＳＤＵに圧縮し、第１の複数の圧縮されたＰＤＣＰ  ＳＤＵを通信装置に送信し、かつ／あるいは、第２の複数のＰＤＣＰ  ＳＤＵを通信装置から受信し、ヘッダ解凍コンテキストに従って第２の複数のＰＤＣＰ  ＳＤＵを第２の複数の解凍されたＰＤＣＰ  ＳＤＵに解凍する。
【００６４】
ステップ６１０：第２の基地局が、通信装置に対する第２の無線ベアラの複数のＰＤＣＰ  ＳＤＵを送信し、あるいは受信する。
【００６５】
ステップ６１２：第２の基地局が、ＰＳＣｅｌｌを第１の基地局の上記セルから第１の基地局の別のセルに変更し、又は第２の基地局から第１の基地局へのハンドオーバを示す、ＲＲＣメッセージを送信する。
【００６６】
ステップ６１４：第１の基地局が、ＰＳＣｅｌｌの変更を開始し、又はハンドオーバを開始するとき、ヘッダ圧縮コンテキスト又はヘッダ解凍コンテキストを維持する。
【００６７】
ステップ６１６：第１の基地局が、ＲＲＣメッセージを受信した後、ヘッダ圧縮コンテキストに従って第１の無線ベアラの第３の複数のＰＤＣＰ  ＳＤＵを第３の複数の圧縮されたＰＤＣＰ  ＳＤＵに圧縮し、第３の複数の圧縮されたＰＤＣＰ  ＳＤＵを通信装置に送信し、かつ／あるいは、ＲＲＣメッセージを受信した後、第１の無線ベアラの第４の複数のＰＤＣＰ  ＳＤＵを通信装置から受信し、ヘッダ解凍コンテキストに従って第４の複数のＰＤＣＰ  ＳＤＵを第４の複数の解凍されたＰＤＣＰ  ＳＤＵに解凍する。
【００６８】
ステップ６１８：終了。
【００６９】
プロセス６０によれば、第２の基地局は、ＳＣＧベアラとして第１の無線ベアラを構成する第１の無線ベアラ構成と、ＰＳＣｅｌｌとして第１の基地局のセルを構成するＰＳＣｅｌｌとを、通信装置（例えば、通信装置１００）に送信することができ、第１の無線ベアラ構成及びＰＳＣｅｌｌ構成は、通信装置と通信するためのものである。第２の基地局は、通信装置と通信するためのＭＣＧベアラ又はスプリットベアラとして第２の無線ベアラを構成するための第２の無線ベアラ構成を通信装置に送信することができる。それから、第１の基地局は、第１の無線ベアラの第１の複数のＰＤＣＰ  ＳＤＵを圧縮するためのヘッダ圧縮コンテキストを確立することができる。あるいは、第１の基地局は、第１の無線ベアラの第２の複数のＰＤＣＰ  ＳＤＵを解凍するためのヘッダ解凍コンテキストを確立することができる。第１の基地局は、ヘッダ圧縮コンテキストに従って第１の複数のＰＤＣＰ  ＳＤＵを第１の複数の圧縮されたＰＤＣＰ  ＳＤＵに圧縮することができ、第１の複数の圧縮されたＰＤＣＰ  ＳＤＵを通信装置に送信することができる。あるいは、第１の基地局は、第２の複数のＰＤＣＰ  ＳＤＵを通信装置から受信することができ、ヘッダ解凍コンテキストに従って第２の複数のＰＤＣＰ  ＳＤＵを第２の複数の解凍されたＰＤＣＰ  ＳＤＵに解凍することができる。第２の基地局は、通信装置に対する第２の無線ベアラの複数のＰＤＣＰ  ＳＤＵを送信する（あるいは受信する）ことができる。その後、第２の基地局は、第１の基地局の上記セルから第１の基地局の別のセルにＰＳＣｅｌｌを変更し、又は第２の基地局から第１の基地局へのハンドオーバを示す、ＲＲＣメッセージを送信することができる。第１の基地局は、ＰＳＣｅｌｌの変更を開始し、又はハンドオーバを開始するとき、ヘッダ圧縮コンテキスト又はヘッダ解凍コンテキストを維持することができる。第１の基地局は、ＲＲＣメッセージを受信した後、ヘッダ圧縮コンテキストに従って第１の無線ベアラの第３の複数のＰＤＣＰ  ＳＤＵを第３の複数の圧縮されたＰＤＣＰ  ＳＤＵに圧縮することができ、第３の複数の圧縮されたＰＤＣＰ  ＳＤＵを通信装置に送信することができる。あるいは、第１の基地局は、ＲＲＣメッセージを受信した後、第１の無線ベアラの第４の複数のＰＤＣＰ  ＳＤＵを通信装置に送信することができ、ヘッダ解凍コンテキストに従って第４の複数のＰＤＣＰ  ＳＤＵを第４の複数の解凍されたＰＤＣＰ  ＳＤＵに解凍することができる。
【００７０】
プロセス６０によれば、ＭｅＮＢ又はＳｅＮＢが通信装置についてＳｅＮＢのＰＳＣｅｌｌをＳｅＮＢのあるセルからＳｅＮＢの別のセルに変更するとき、又はＭｅＮＢが通信装置にＭｅＮＢからＳｅＮＢへのハンドオーバを実行するように示すとき、ＳｅＮＢは、ＳＣＧベアラタイプを有する無線ベアラのためのヘッダ圧縮／解凍について、ヘッダ圧縮／解凍コンテキストをリセットしない。したがって、ＳｅＮＢは、ＵモードにおいてＩＲ状態でヘッダ圧縮／解凍を開始する必要がない。ＰＳＣｅｌｌ構成には、ＳｅＮＢのセルを識別するセル識別情報（例えば、セルグローバル識別子、物理セルアイデンティティ、及び／又はダウンリンク搬送波周波数）を含むことができる。ＭｅＮＢは、第２のＲＲＣメッセージ、例えば、ＲＲＣＣｏｎｎｅｃｔｉｏｎＲｅｃｏｎｆｉｇｕｒａｔｉｏｎメッセージの中で第２の無線ベアラ構成を通信装置に送信することができる。
【００７１】
プロセス５０及び／又は６０の実現は、上記の説明に限定されない。
【００７２】
一例において、プロセス５０及び／又は６０における第１の複数のＰＤＣＰ  ＳＤＵを圧縮する／解凍するためのヘッダ圧縮／解凍コンテキストは、第１の複数のＰＤＣＰ  ＳＤＵの１つ以上のプロトコルヘッダの中に複数の静的フィールドを含む。さらに、ヘッダ圧縮／解凍コンテキストは、動的フィールド及び変更パターンのうち少なくとも１つを記憶してもよい。一例において、第１の無線ベアラ構成は、無線ベアラアイデンティティ、ＰＤＣＰ構成（例えば、ヘッダ圧縮／解凍構成）、ＲＬＣ構成、論理チャネルアイデンティティ、及び論理チャネル構成のうち少なくとも１つを含むことができる。同様に、第２の無線ベアラ構成は、無線ベアラアイデンティティ、ＰＤＣＰ構成、ＲＬＣ構成、論理チャネルアイデンティティ、及び論理チャネル構成のうち少なくとも１つを含むことができる。一例において、ＲＲＣメッセージは、ＲＲＣＣｏｎｎｅｃｔｉｏｎＲｅｃｏｎｆｉｇｕｒａｔｉｏｎメッセージであり得る。一例において、通信装置又は第１の基地局は、第１の複数のＰＤＣＰ  ＳＤＵのうちのＰＤＣＰ  ＳＤＵを圧縮する／解凍するとき、又は第３の複数のＰＤＣＰ  ＳＤＵのうちのＰＤＣＰ  ＳＤＵを圧縮する／解凍するとき、ヘッダ圧縮／解凍コンテキストを更新することができる。
【００７３】
一例において、ヘッダ圧縮／解凍コンテキストを維持するステップは、ヘッダ圧縮／解凍コンテキストをリセットしないことを含むことができる。一例において、ＲＲＣメッセージが、第１の無線ベアラのためのヘッダ圧縮／解凍コンテキストを維持すること（すなわち、ヘッダ圧縮／解凍コンテキストを継続すること）、又は通信装置と第１の基地局との間のすべての無線ベアラのためのヘッダ圧縮／解凍コンテキストを維持することを示す第１の情報を含むとき、通信装置及び第１の基地局は、ヘッダ圧縮／解凍コンテキストに従って第３の複数のＰＤＣＰ  ＳＤＵを圧縮する／解凍することができる。さらに、ＲＲＣメッセージが第１の情報を含まず、あるいは、ＲＲＣメッセージが通信装置と第１の基地局との間で使用される第１のベアラのため又はすべてのベアラのためのヘッダ圧縮／解凍コンテキストをリセットすることを示す第２の情報を含むとき、通信装置及び第１の基地局は、第１の無線ベアラのため又は通信装置と第１の基地局との間で使用されるすべての無線ベアラのためのヘッダ圧縮／解凍コンテキストをリセットしてもよい。換言すると、通信装置及び第１の基地局は、第１の無線ベアラのＰＤＣＰ  ＳＤＵを圧縮する／解凍するためのヘッダ圧縮／解凍コンテキストを使用しなくてもよく、第１の無線ベアラのＩＲパケット（すなわち、圧縮されていないＰＤＣＰ  ＳＤＵ）に応答して新しいヘッダ圧縮／解凍コンテキストを確立してもよい。一例において、ＲＲＣメッセージが第２の基地局から第１の基地局へのハンドオーバを示すとき、通信装置及び第１の基地局は、第２の無線ベアラのためのヘッダ圧縮／解凍コンテキストをリセットすることができる。一例において、ＲＲＣメッセージがＰＳＣｅｌｌを第１の基地局のあるセルから第１の基地局の別のセルに変更し、通信装置に第２の基地局内での基地局内ハンドオーバ（intra-base  station  handover）を実行するように示すとき、通信装置及び第２の基地局は、第２の無線ベアラのためのヘッダ圧縮／解凍コンテキストをリセットすることができる。
【００７４】
図７は、本発明の一例によるプロセス７０のフローチャートである。プロセス７０は、ヘッダ圧縮／解凍を扱うために、通信装置（例えば、通信装置１００）において利用することができる。プロセス７０は、プログラムコード２１４へとコンパイルされることができ、下記のステップを含む。
【００７５】
ステップ７００：開始。
【００７６】
ステップ７０２：ＲＲＣメッセージを受信する。
【００７７】
ステップ７０４：ＲＲＣメッセージに従って第１の無線ベアラ及び第２の無線ベアラのためのＰＤＣＰ再確立を実行する。
【００７８】
ステップ７０６：ＲＲＣメッセージが圧縮／解凍コンテキストを継続することを示すフィールドを含まない場合、ＰＤＣＰ再確立に従って、第１の無線ベアラの第１の圧縮／解凍コンテキストと第２の無線ベアラの第２の圧縮／解凍コンテキストとをリセットする。
【００７９】
ステップ７０８：ＲＲＣメッセージが圧縮／解凍コンテキストを継続することを示すフィールドを含む場合、ＰＤＣＰ再確立に従って、第１の圧縮／解凍コンテキストをリセットし、第２の圧縮／解凍コンテキストをリセットしない。
【００８０】
ステップ７１０：終了。
【００８１】
プロセス７０によれば、通信装置は、ＲＲＣメッセージを受信し、ＲＲＣメッセージに従って第１の無線ベアラ及び第２の無線ベアラのためのＰＤＣＰ再確立を実行する。それから、ＲＲＣメッセージが圧縮／解凍コンテキストを継続することを示すフィールドを含まない場合、通信装置は、ＰＤＣＰ再確立に従って、第１の無線ベアラの第１の圧縮／解凍コンテキストと第２の無線ベアラの第２の圧縮／解凍コンテキストとをリセットすることができる。さらに、ＲＲＣメッセージが圧縮／解凍コンテキストを継続することを示すフィールドを含む場合、通信装置は、ＰＤＣＰ再確立に従って、第１の圧縮／解凍コンテキストをリセットすることができ、第２の圧縮／解凍コンテキストをリセットしない。
【００８２】
第１の圧縮／解凍コンテキスト及び第２の圧縮／解凍コンテキストは、同じ圧縮プロトコル（例えば、ロバストヘッダ圧縮（Robust  Header  Compression；ＲＯＨＣ））であってもよく、異なる圧縮プロトコルであってもよい。通信装置が、圧縮されたＰＤＣＰ  ＳＤＵを送信する場合、圧縮／解凍コンテキストは、圧縮器による無線ベアラのＰＤＣＰ  ＳＤＵの圧縮に使用することができる。通信装置が、無線ベアラの圧縮されたＰＤＣＰ  ＳＤＵを受信する場合、圧縮／解凍コンテキストは、解凍器による圧縮されたＰＤＣＰ  ＳＤＵの解凍に使用することができる。
【００８３】
プロセス７０の実現は、上記の説明に限定されない。
【００８４】
一例において、第１の圧縮／解凍コンテキストがＲＯＨＣコンテキストであり、（例えばＵＬのための）圧縮器によって使用される場合、第１の圧縮／解凍コンテキストをリセットするステップは、ＵモードにおいてＩＲ状態で第１の圧縮／解凍コンテキストを開始することを含むことができる。一例において、第１の圧縮／解凍コンテキストがＲＯＨＣコンテキストであり、（例えばＤＬのための）解凍器によって使用される場合、第１の圧縮／解凍コンテキストをリセットするステップは、Ｕモードにおいてコンテキストなし（ＮＣ）状態で第１の圧縮／解凍コンテキストを開始することを含むことができる。一例において、ＲＬＣ確認（acknowledged）モード又はＲＬＣ未確認（unacknowledged）モードが、第１の無線ベアラ及び／又は第２の無線ベアラのために構成されることができる。一例において、圧縮／解凍コンテキストを継続することを示すフィールドは、ＭＣＧベアラのため又は第１の無線ベアラのために（例えば、ＭＣＧベアラのため又は第１の無線ベアラのためにだけ）適用されることができる。
【００８５】
一例において、ＲＲＣメッセージがＳＣＧのため又は第２の無線ベアラのための圧縮／解凍コンテキストを継続することを示す別のフィールドを含まない場合、又は、ＲＲＣメッセージがＳＣＧのため又は第２の無線ベアラのための圧縮／解凍コンテキストをリセットすることを示すフィールドを含む場合、第２の圧縮／解凍コンテキストをリセットするステップは、第２の圧縮／解凍コンテキストをリセットすることを含むことができる。一例において、ＲＲＣメッセージがＳＣＧのため又は第２の無線ベアラのための圧縮／解凍コンテキストを継続することを示す別のフィールドを含む場合、通信装置は、第２の圧縮／解凍コンテキストをリセットしなくてもよい。一例において、上記フィールドは、ＳＧＰＰ  ＴＳ  ３６．３３１  ｖ１２．３．０に定義されているｄｒｂ−ＣｏｎｔｉｎｕｅＲＯＨＣであってよい。一例において、ＲＲＣメッセージは、ＰＳＣｅｌｌを第１の基地局のあるセルから第１の基地局の別のセルに変更することができ（すなわち、第１の基地局のＳＣＧ内でのＰＳＣｅｌｌ変更）、あるいは第２の局から第１の局へのハンドオーバを示すことができる。
【００８６】
上記の例が示されているが、対応するプロセスの関連する動作を明確にするためであることが留意されるべきである。上記の例は、システム要件及び／又は設計検討に従って任意に組み合わせられ、かつ／あるいは修正されてよい。
【００８７】
用語の「圧縮され／解凍され」「圧縮する／解凍する」及び「圧縮／解凍」は、説明の冗長を低減するために使用されていることが留意されるべきである。プロセス５０、６０、７０と上記の例とをヘッダ圧縮コンテキスト（及び、関連する圧縮する動作及び圧縮されたＳＤＵ）、ヘッダ解凍コンテキスト（及び、関連する解凍する動作及び解凍されたＳＤＵ）、又は双方に適用することができることを、当業者は容易に理解し得る。さらに、用語の「ヘッダ圧縮コンテキスト」及び「ヘッダ解凍コンテキスト」は、それぞれ、「ヘッダ圧縮プロトコルコンテキスト」及び「ヘッダ解凍プロトコルコンテキスト」とも称され得る。
【００８８】
当業者は、前述された説明及び例における組み合わせ、修正及び／又は変更を容易になすであろう。前述された説明、ステップ及び／又はプロセスは、示唆されたステップを含め、ハードウェア、ソフトウェア、ファームウェア（ハードウェア装置と、ハードウェア装置上の読取専用ソフトウェアとして存在するコンピュータ命令及びデータとの組み合わせとして知られる）、電子システム、又はこれらの組み合わせであり得る手段によって実現することができる。手段の一例が、通信装置２０であり得る。
【００８９】
要約すると、本発明は、ネットワーク構成を扱うための方法及び通信装置を提供する。これに応じて、ＭＣＧ及び／又はＳＣＧのためのＲＬＣ構成、ＰＤＣＰ構成、及び／又はＳＰＳ構成のための再構成を実行することができる。本発明は、ヘッダ圧縮／解凍を扱うための方法及び関連する通信装置をさらに提供する。こうして、ヘッダ圧縮／解凍の効率を向上させることができる。
【００９０】
当業者は、本発明の教示を保持する間、装置及び方法についての多数の修正及び変更がなされ得ることに容易に気付くであろう。したがって、上記の開示は、別記の請求項に係る境界及び範囲によってのみ限定されるものとみなされるべきである。
上記の実施形態につき以下の付記を残しておく。
［付記１］
ネットワーク構成を扱う通信装置であって、
第１の基地局からマスタセルグループ（ＭＣＧ）ベアラとして第１の無線ベアラを構成する第１の構成を受信する命令であって、上記第１の構成は、上記第１の基地局と通信するためのものである、命令と、
上記第１の基地局からセカンダリセルグループ（ＳＣＧ）ベアラとして第２の無線ベアラを構成する第２の構成を受信する命令であって、上記第２の構成は、第２の基地局と通信するための無線リンク制御（ＲＬＣ）構成とパケットデータ収束プロトコル（ＰＤＣＰ）構成と半永続的スケジューリング（ＳＰＳ）構成とのうち少なくとも１つを含む、命令と、
上記ＲＬＣ構成と上記ＰＤＣＰ構成と上記ＳＰＳ構成とのうち少なくとも１つの再構成を示す無線リソース制御（ＲＲＣ）メッセージを受信する命令と、
下記の条件、すなわち、
上記ＲＲＣメッセージが当該通信装置のＳＣＧを変更する、及び
上記ＲＲＣメッセージが上記第２の無線ベアラを上記ＳＣＧベアラから上記ＭＣＧベアラに再構成する、
のうち少なくとも１つが満たされるとき、上記ＲＲＣメッセージに従って上記再構成を実行する命令と、
上記条件のいずれも満たされないとき、上記再構成の実行を停止する命令と、
を記憶した記憶ユニットと、
上記記憶ユニットに結合され、上記記憶ユニットに記憶された上記命令を実行するように構成された処理手段と、
を含む通信装置。
［付記２］
上記条件は、
上記ＲＲＣメッセージがＲＲＣ接続再確立の後の第１のメッセージであること、及び
上記ＲＲＣメッセージがハンドオーバメッセージであること、
を含む、付記１に記載の通信装置。
［付記３］
上記条件は、
上記ＲＲＣメッセージが上記第２の無線ベアラを上記ＳＣＧベアラからスプリットベアラに再構成すること、
を含む、付記２に記載の通信装置。
［付記４］
上記ＰＤＣＰ構成が、ＰＤＣＰタイマ値とＰＤＣＰシーケンス番号（ＳＮ）サイズとのうち少なくとも１つを含み、上記ＲＬＣ構成が、ＲＬＣタイマ値とカウンタ値とＲＬＣ長さインジケータ（ＬＩ）サイズとＲＬＣ  ＳＮサイズとのうち少なくとも１つを含み、上記ＳＰＳ構成は、ＳＰＳセル無線ネットワーク一時識別子（Ｃ‐ＲＮＴＩ）とＳＰＳ間隔とのうち少なくとも１つを含み、あるいは、
上記ＳＣＧを変更する上記ＲＲＣメッセージが、ｔ３０７とＣ‐ＲＮＴＩとＲＡＣＨ‐ＣｏｎｆｉｇＤｅｄｉｃａｔｅｄとのうち少なくとも１つを含むＭｏｂｉｌｉｔｙＣｏｎｔｒｏｌＩｎｆｏＳＣＧ情報要素を含むＲＲＣＣｏｎｎｅｃｔｉｏｎＲｅｃｏｎｆｉｇｕｒａｉｔｏｎメッセージである、
付記１に記載の通信装置。
［付記５］
当該通信装置は、上記再構成を無視することによって上記再構成の実行を停止し、上記記憶ユニットは、上記条件のいずれも満たされないときにＲＲＣ接続再確立手順を実行する命令をさらに記憶している、付記１に記載の通信装置。
［付記６］
上記再構成を実行する命令は、上記ＲＬＣ構成を適用することを含み、上記記憶ユニットは、
上記ＲＲＣメッセージに応答して上記第２の無線ベアラのＲＬＣエンティティを再確立する命令、
上記ＲＲＣメッセージに応答して上記第２の無線ベアラのＰＤＣＰエンティティを再確立する命令、又は
上記ＲＲＣメッセージに応答して上記第２の無線ベアラのＭＡＣエンティティをリセットする命令、
をさらに記憶している、付記１に記載の通信装置。
［付記７］
ネットワーク構成を扱う第１の基地局であって、
マスタセルグループ（ＭＣＧ）ベアラとして第１の無線ベアラを構成する第１の構成を通信装置に送信する命令であって、上記第１の構成は、当該第１の基地局と通信するためのものである、命令と、
セカンダリセルグループ（ＳＣＧ）ベアラとして第２の無線ベアラを構成する第２の構成を上記通信装置に送信する命令であって、上記第２の構成は、第２の基地局と通信するための無線リンク制御（ＲＬＣ）構成とパケットデータ収束プロトコル（ＰＤＣＰ）構成と半永続的スケジューリング（ＳＰＳ）構成とのうち少なくとも１つを含む、命令と、
上記ＲＬＣ構成と上記ＰＤＣＰ構成と上記ＳＰＳ構成とのうち少なくとも１つを再構成するように決定する命令と、
上記決定に従って上記ＲＬＣ構成と上記ＰＤＣＰ構成とのうち少なくとも１つの再構成を示す無線リソース制御（ＲＲＣ）メッセージを送信する命令であって、上記ＲＲＣメッセージは上記通信装置のＳＣＧを変更し、あるいは上記ＲＲＣメッセージは上記第２の無線ベアラを上記ＳＣＧベアラから上記ＭＣＧベアラに再構成する、命令と、
を記憶した記憶ユニットと、
上記記憶ユニットに結合され、上記記憶ユニットに記憶された上記命令を実行するように構成された処理手段と、
を含む第１の基地局。
［付記８］
上記ＰＤＣＰ構成が、ＰＤＣＰタイマ値とＰＤＣＰシーケンス番号（ＳＮ）サイズとのうち少なくとも１つを含み、上記ＲＬＣ構成が、ＲＬＣタイマ値とカウンタ値とＲＬＣ長さインジケータ（ＬＩ）サイズとＲＬＣ  ＳＮサイズとのうち少なくとも１つを含み、上記ＳＰＳ構成は、ＳＰＳセル無線ネットワーク一時識別子（Ｃ‐ＲＮＴＩ）とＳＰＳ間隔とのうち少なくとも１つを含み、あるいは、
上記ＳＣＧを変更する上記ＲＲＣメッセージが、ｔ３０７とＣ‐ＲＮＴＩとＲＡＣＨ‐ＣｏｎｆｉｇＤｅｄｉｃａｔｅｄとのうち少なくとも１つを含むＭｏｂｉｌｉｔｙＣｏｎｔｒｏｌＩｎｆｏＳＣＧ情報要素を含むＲＲＣＣｏｎｎｅｃｔｉｏｎＲｅｃｏｎｆｉｇｕｒａｉｔｏｎメッセージである、
付記７に記載の第１の基地局。
［付記９］
ヘッダ圧縮／解凍を扱う通信装置であって、
セカンダリセルグループ（ＳＣＧ）ベアラとして第１の無線ベアラを構成する第１の無線ベアラ構成と、プライマリセカンダリセル（ＰＳＣｅｌｌ）として第１の基地局のセルを構成するＰＳＣｅｌｌ構成とを受信する命令であって、上記第１の無線ベアラ構成及び上記ＰＳＣｅｌｌ構成は、上記第１の基地局と通信するためのものである、命令と、
第２の基地局と通信するためのマスタセルグループ（ＭＣＧ）ベアラ又はスプリットベアラとして第２の無線ベアラを構成する第２の無線ベアラ構成を受信する命令と、
上記第１の無線ベアラの第１の複数のパケットデータ収束プロトコル（ＰＤＣＰ）サービスデータユニット（ＳＤＵ）を圧縮するためのヘッダ圧縮コンテキストを確立し、かつ／あるいは上記第１の無線ベアラの第２の複数のＰＤＣＰ  ＳＤＵを解凍するためのヘッダ解凍コンテキストを確立する命令と、
上記ヘッダ圧縮コンテキストに従って上記第１の複数のＰＤＣＰ  ＳＤＵを第１の複数の圧縮されたＰＤＣＰ  ＳＤＵに圧縮し、及び上記第１の複数の圧縮されたＰＤＣＰ  ＳＤＵを上記第１の基地局に送信し、かつ／あるいは、上記第２の複数のＰＤＣＰ  ＳＤＵを上記第１の基地局から受信し、及び上記ヘッダ解凍コンテキストに従って上記第２の複数のＰＤＣＰ  ＳＤＵを第２の複数の解凍されたＰＤＣＰ  ＳＤＵに解凍する命令と、
上記第２の基地局に対する上記第２の無線ベアラの複数のＰＤＣＰ  ＳＤＵを送信する命令と、
上記ＰＳＣｅｌｌを上記第１の基地局の上記セルから上記第１の基地局の別のセルに変更し、又は上記第２の基地局から上記第１の基地局へのハンドオーバを示す、無線リソース制御（ＲＲＣ）メッセージを受信する命令と、
上記ＲＲＣメッセージを受信するとき、上記ヘッダ圧縮コンテキスト又は上記ヘッダ解凍コンテキストを維持する命令と、
上記ＲＲＣメッセージを受信した後、上記ヘッダ圧縮コンテキストに従って上記第１の無線ベアラの第３の複数のＰＤＣＰ  ＳＤＵを第３の複数の圧縮されたＰＤＣＰ  ＳＤＵに圧縮し、及び上記第３の複数の圧縮されたＰＤＣＰ  ＳＤＵを上記第１の基地局に送信し、かつ／あるいは、上記ＲＲＣメッセージを受信した後、上記第１の無線ベアラの第４の複数のＰＤＣＰ  ＳＤＵを受信し、及び上記ヘッダ解凍コンテキストに従って上記第４の複数のＰＤＣＰ  ＳＤＵを第４の複数の解凍されたＰＤＣＰ  ＳＤＵに解凍する命令と、
を記憶した記憶ユニットと、
上記記憶ユニットに結合され、上記記憶ユニットに記憶された上記命令を実行するように構成された処理手段と、
を含む通信装置。
［付記１０］
上記ＲＲＣメッセージが、上記第１の無線ベアラのための上記ヘッダ圧縮コンテキストを維持すること又は当該通信装置と上記第１の基地局との間の少なくとも１つの無線ベアラのための上記ヘッダ圧縮コンテキストを維持することを示す第１の情報を含むとき、当該通信装置は、上記ヘッダ圧縮コンテキストに従って上記第３の複数のＰＤＣＰ  ＳＤＵを圧縮し、あるいは、
上記記憶ユニットが、
上記ＲＲＣメッセージが上記第１の情報を含まず、あるいは上記ＲＲＣメッセージが上記第１の無線ベアラのため又は上記少なくとも１つの無線ベアラのための上記ヘッダ圧縮コンテキストをリセットすることを示す第２の情報を含むときに、上記ヘッダ圧縮コンテキストをリセットする命令、
をさらに記憶している、
付記９に記載の通信装置。
［付記１１］
上記記憶ユニットが、
上記ＲＲＣメッセージが上記ＰＳＣｅｌｌを上記第１の基地局の上記セルから上記第１の基地局の上記別のセルに変更し、及び当該通信装置に上記第２の基地局内で基地局内ハンドオーバを実行するように示すとき、又は、上記ＲＲＣメッセージが上記第２の基地局から上記第１の基地局への上記ハンドオーバを示すときに、上記第２の無線ベアラのためのヘッダ圧縮コンテキストをリセットする命令、
をさらに記憶している、付記９に記載の通信装置。
［付記１２］
第１の基地局及び第２の基地局のためのヘッダ圧縮／解凍を扱う方法であって、
上記第２の基地局が、セカンダリセルグループ（ＳＣＧ）ベアラとして第１の無線ベアラを構成する第１の無線ベアラ構成と、プライマリセカンダリセル（ＰＳＣｅｌｌ）として上記第１の基地局のセルを構成するＰＳＣｅｌｌ構成とを通信装置に送信することであって、上記第１の無線ベアラ構成及び上記ＰＳＣｅｌｌ構成は、上記通信装置と通信するためのものである、ことと、
上記第２の基地局が、上記通信装置と通信するためのマスタセルグループ（ＭＣＧ）ベアラ又はスプリットベアラとして第２の無線ベアラを構成するための第２の無線ベアラ構成を上記通信装置に送信することと、
上記第１の基地局が、上記第１の無線ベアラの第１の複数のパケットデータ収束プロトコル（ＰＤＣＰ）サービスデータユニット（ＳＤＵ）を圧縮するためのヘッダ圧縮コンテキストを確立し、かつ／あるいは上記第１の無線ベアラの第２の複数のＰＤＣＰ  ＳＤＵを解凍するためのヘッダ解凍コンテキストを確立することと、
上記第１の基地局が、上記ヘッダ圧縮コンテキストに従って上記第１の複数のＰＤＣＰ  ＳＤＵを第１の複数の圧縮されたＰＤＣＰ  ＳＤＵに圧縮し、及び上記第１の複数の圧縮されたＰＤＣＰ  ＳＤＵを上記通信装置に送信し、かつ／あるいは、上記第２の複数のＰＤＣＰ  ＳＤＵを上記通信装置から受信し、及び上記ヘッダ解凍コンテキストに従って上記第２の複数のＰＤＣＰ  ＳＤＵを第２の複数の解凍されたＰＤＣＰ  ＳＤＵに解凍することと、
上記第２の基地局が、上記通信装置に対する上記第２の無線ベアラの複数のＰＤＣＰ  ＳＤＵを送信し、あるいは受信することと、
上記第２の基地局が、上記ＰＳＣｅｌｌを上記第１の基地局の上記セルから上記第１の基地局の別のセルに変更し、又は上記第２の基地局から上記第１の基地局へのハンドオーバを示す、無線リソース制御（ＲＲＣ）メッセージを送信することと、
上記第１の基地局が、上記ＰＳＣｅｌｌの変更を開始し、又は上記ハンドオーバを開始するときに、上記ヘッダ圧縮コンテキスト又は上記ヘッダ解凍コンテキストを維持することと、
上記第１の基地局が、上記ＲＲＣメッセージを受信した後、上記ヘッダ圧縮コンテキストに従って上記第１の無線ベアラの第３の複数のＰＤＣＰ  ＳＤＵを第３の複数の圧縮されたＰＤＣＰ  ＳＤＵに圧縮し、及び上記第３の複数の圧縮されたＰＤＣＰ  ＳＤＵを上記通信装置に送信し、かつ／あるいは、上記ＲＲＣメッセージを受信した後、上記第１の無線ベアラの第４の複数のＰＤＣＰ  ＳＤＵを上記通信装置から受信し、及び上記ヘッダ解凍コンテキストに従って上記第４の複数のＰＤＣＰ  ＳＤＵを第４の複数の解凍されたＰＤＣＰ  ＳＤＵに解凍することと、
を含む方法。
［付記１３］
上記ＲＲＣメッセージが、上記第１の無線ベアラのための上記ヘッダ圧縮コンテキストを維持すること又は上記通信装置と上記第１の基地局との間のすべての無線ベアラのための上記ヘッダ圧縮コンテキストを維持することを示す第１の情報を含むとき、上記第１の基地局は、上記ヘッダ圧縮コンテキストに従って上記第３の複数のＰＤＣＰ  ＳＤＵを圧縮し、あるいは、
当該方法が、
上記ＲＲＣメッセージが上記第１の情報を含まず、あるいは上記ＲＲＣメッセージが上記第１の無線ベアラのため又は上記通信装置と上記第１の基地局との間で使用されるすべての無線ベアラのための上記ヘッダ圧縮コンテキストをリセットすることを示す第２の情報を含むときに、上記第１の無線ベアラのため又は上記通信装置と上記第１の基地局との間で使用される上記すべての無線ベアラのための上記ヘッダ圧縮コンテキストをリセットすること、
をさら含む、
付記１２に記載の方法。
［付記１４］
当該方法は、
上記第１の基地局が、上記第２の無線ベアラのためのヘッダ圧縮コンテキストをリセットすること、
をさらに含む、付記１２に記載の方法。
［付記１５］
当該方法は、
上記ＲＲＣメッセージが、上記ＰＳＣｅｌｌを上記第１の基地局の上記セルから上記第１の基地局の上記別のセルに変更するとき、上記第２の基地局が、上記第２の無線ベアラのためのヘッダ圧縮コンテキストをリセットすること、
をさらに含む、付記１２に記載の方法。
［付記１６］
ヘッダ圧縮／解凍を扱う通信装置であって、
無線リソース制御（ＲＲＣ）メッセージを受信する命令と、
上記ＲＲＣメッセージに従って第１の無線ベアラ及び第２の無線ベアラのためのパケットデータ収束プロトコル（ＰＤＣＰ）再確立を実行する命令と、
上記ＲＲＣメッセージが圧縮／解凍コンテキストを継続することを示すフィールドを含まない場合、上記ＰＤＣＰ再確立に従って、上記第１の無線ベアラの第１の圧縮／解凍コンテキストと上記第２の無線ベアラの第２の圧縮／解凍コンテキストとをリセットする命令と、
上記ＲＲＣメッセージが圧縮／解凍コンテキストを継続することを示す上記フィールドを含む場合、上記ＰＤＣＰ再確立に従って、上記第１の圧縮／解凍コンテキストをリセットし、上記第２の圧縮／解凍コンテキストをリセットしない命令と、
を記憶した記憶ユニットと、
上記記憶ユニットに結合され、上記記憶ユニットに記憶された上記命令を実行するように構成された処理手段と、
を含む通信装置。
［付記１７］
圧縮／解凍コンテキストを継続することを示す上記フィールドは、上記ＭＣＧベアラのため又は上記第１の無線ベアラのために適用される、付記１６に記載の通信装置。
［付記１８］
上記第２の圧縮／解凍コンテキストをリセットする命令は、
上記ＲＲＣメッセージがＳＣＧのため又は上記第２の無線ベアラのための圧縮／解凍コンテキストを継続することを示す別のフィールドを含まない場合、又は、上記ＲＲＣメッセージが上記ＳＣＧのため又は上記第２の無線ベアラのための圧縮／解凍コンテキストをリセットすることを示すフィールドを含む場合に、上記第２の圧縮／解凍コンテキストをリセットすること、又は、
上記ＲＲＣメッセージが上記ＳＣＧのため又は上記第２の無線ベアラのための圧縮／解凍コンテキストを継続することを示す上記別のフィールドを含む場合、上記第２の圧縮／解凍コンテキストをリセットしないこと、
を含む、付記１６に記載の通信装置。
［付記１９］
上記ＲＲＣメッセージは、プライマリセカンダリセル（ＰＳＣｅｌｌ）を第１の基地局のセルから上記第１の基地局の別のセルに変更し、あるいは第２の基地局から上記第１の基地局へのハンドオーバを示す、付記１６に記載の通信装置。
【符号の説明】
【００９１】
１０    ワイヤレス通信システム
１００  通信装置
１０２、１０４  基地局
２０    通信装置
２００  処理手段
２１０  記憶ユニット
２１４  プログラムコード
２２０  通信インターフェースユニット
【図１】
0006309120.tif 000002
【図２】
0006309120.tif 000003
【図３】
0006309120.tif 000004
【図４】
0006309120.tif 000005
【図５】
0006309120.tif 000006
【図６】
0006309120.tif 000007
【図７】
0006309120.tif 000008